【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
感湿性製品を貯蔵しかつ包装する実質的に防湿性の容器と蓋の組立体において、
容器と蓋とを備えた組立体を備え、
ａ）前記蓋は、ヒンジ部によって前記容器の上側ハウジング部に取り付けられており、前記蓋は、前記容器の少なくとも一部にわたって延びている外周を有し、前記蓋は、前記蓋から下向きに延びているスカート部を備え、
ｂ）前記容器は、容器基部と、前記容器基部から上向きに突出している側壁とを有し、    ｉ）前記容器の上面は、前記容器の内部へのアクセスを可能にする開口を備え、前記開口部は、前記容器の外面とは離間しており、
ｉｉ）前記容器の前記上面の前記開口は、前記容器の前記上面から上方に延びているリップ部によって境界付けられており、前記容器の前記上面の前記リップ部は、前記容器の前記容器の前記上面の前記開口の周囲に延びており、
ｉｉｉ）前記蓋の前記スカート部は、前記蓋の前記スカート部が前記容器の前記上面の前記リップ部と閉鎖関係となることができるような、前記蓋上の位置に位置決めされており、前記蓋の前記スカート部は、前記容器の前記上面の前記リップ部の周囲に嵌合し、
ｉｖ）前記蓋は、前記蓋から下方に延びている可撓性のリップシール部材をさらに有し、前記可撓性のリップシール部材は、前記蓋が閉鎖位置にある時に、前記容器の前記上面の前記リップ部の内側面の少なくとも一部分と当接するように構成されており、
前記可撓性のリップシール部材は、前記蓋の前記スカート部と前記容器の前記上面の前記リップ部との間の閉鎖関係に加えて、前記容器の前記上面の前記リップ部が前記可撓性のリップシール部材へ外側から内側へ圧力を加える時にシール位置を提供するほど十分に偏向するように構成されており、
前記リップシール部材は、前記蓋の前記スカート部と前記容器の前記上面の前記リップ部との間の閉鎖関係と組み合わせて、前記蓋と前記容器の間で、実質的に防湿性のきついシールを提供し、
前記蓋の前記スカート部は、内側に向いている延長部を有し、前記容器の前記上面の前記リップ部は、外側に向いている延長部を有し、
前記蓋の前記スカート部の前記内側に向いている延長部と、前記容器の前記上面の前記リップ部の前記外側に向いている延長部は、前記蓋が前記閉鎖位置にある時に、互いに当接してスナップ嵌合の構成で固定する、実質的に防湿性の容器と蓋の組立体。
【請求項２】
前記蓋の一部が、前記容器の開放及び閉鎖を容易にするためのタブとして機能する請求項１に記載の実質的に防湿性の容器と蓋の組立体。
【請求項３】
前記容器基部の前記内部の少なくとも一部分は、乾燥剤含有プラスチックからなる請求項１に記載の実質的に防湿性の容器と蓋の組立体。
【請求項４】
前記容器と蓋の組立体は、解放可能である、請求項１に記載の実質的に防湿性の容器と蓋の組立体。
【請求項５】
前記可撓性のリップ部の偏向の度合いが、前記可撓性のリップ部の厚さ及び曲率によって少なくとも部分的に決定される請求項１に記載の実質的に防湿性の容器と蓋の組立体。
【請求項６】
感湿性製品を貯蔵しかつ包装する実質的に防湿性の容器と蓋の組立体において、
容器と蓋とを備えた組立体を備え、
ａ）前記蓋は、ヒンジ部によって前記容器の上側ハウジング部に取り付けられており、前記蓋は、前記容器の少なくとも一部にわたって延びている外周を有し、前記蓋は、前記蓋から下向きに延びているスカート部を備え、
ｂ）前記容器は、容器基部と、前記容器基部から上向きに突出している側壁とを有し、 ｉ）前記容器の上面は、前記容器の内部へのアクセスを可能にする開口を備え、前記開口部は、前記容器の外面とは離間しており、
ｉｉ）前記容器の前記上面の前記開口は、前記容器の前記上面から上方に延びているリップ部によって境界付けられており、前記容器の前記上面の前記リップ部は、前記容器の前記容器の前記上面の前記開口の周囲に延びており、
ｉｉｉ）前記蓋の前記スカート部は、前記蓋の前記スカート部が前記容器の前記上面の前記リップ部と閉鎖関係となることができるような、前記蓋上の位置に位置決めされており、前記蓋の前記スカート部は、前記容器の前記上面の前記リップ部の周囲に嵌合し、
ｉｖ）前記蓋は、前記蓋から下方に延びているリップシール部材をさらに有し、前記リップシール部材は、前記蓋が閉鎖位置にある時に、前記容器の前記上面の前記リップ部の内側面の少なくとも一部分と当接するように構成されており、
前記可撓性のリップシール部材は、前記蓋の前記スカート部と前記容器の前記上面の前記リップ部との間の閉鎖関係に加えて、シール位置を提供し、
前記リップシール部材は、前記容器の前記上面の前記リップ部に内側から外側へ圧力を加え、これにより、前記蓋の前記スカート部に圧力を加え、前記蓋の前記スカート部と前記容器の前記上面の前記リップ部のシールをきつくし、前記蓋と前記容器の間で、実質的に防湿性のきついシールを提供し、
前記蓋の前記スカート部は、内側に向いている延長部を有し、前記容器の前記上面の前記リップ部は、外側に向いている延長部を有し、
前記蓋の前記スカート部の前記内側に向いている延長部と、前記容器の前記上面の前記リップ部の前記外側に向いている延長部は、前記蓋が前記閉鎖位置にある時に、互いに当接してスナップ嵌合の構成で固定する、実質的に防湿性の容器と蓋の組立体。
【請求項７】
感湿性製品を貯蔵しかつ包装する実質的に防湿性の容器と蓋の組立体において、
容器と蓋とを備えた組立体を備え、
ａ）前記蓋は、ヒンジ部によって前記容器の上側ハウジング部に取り付けられており、前記蓋は、前記容器の少なくとも一部にわたって延びている外周を有し、前記蓋は、前記蓋から下向きに延びているスカート部を備え、
ｂ）前記容器は、容器基部と、前記容器基部から上向きに突出している側壁とを有し、 ｉ）前記容器の上面は、前記容器の内部へのアクセスを可能にする開口を備え、前記開口部は、前記容器の外面とは離間しており、
ｉｉ）前記容器の前記上面の前記開口は、前記容器の前記上面から上方に延びているリップ部によって境界付けられており、前記容器の前記上面の前記リップ部は、前記容器の前記容器の前記上面の前記開口の周囲に延びており、
ｉｉｉ）前記蓋の前記スカート部は、前記蓋の前記スカート部が前記容器の前記上面の前記リップ部と閉鎖関係となることができるような、前記蓋上の位置に位置決めされており、前記蓋の前記スカート部は、前記容器の前記上面の前記リップ部の周囲に嵌合し、
ｉｖ）前記蓋は、前記蓋から下方に延びている可撓性のリップシール部材をさらに有し、前記可撓性のリップシール部材は、前記蓋が閉鎖位置にある時に、前記容器の前記上面の前記リップ部の内側面の少なくとも一部分と当接するように構成されており、
前記可撓性のリップシール部材は、前記蓋の前記スカート部と前記容器の前記上面の前記リップ部との間の閉鎖関係に加えて、前記容器の前記上面の前記リップ部が前記可撓性のリップシール部材へ外側から内側へ圧力を加える時にシール位置を提供するほど十分に偏向するように構成されており、
シール位置を提供する前記リップシール部材は、前記蓋の前記スカート部と前記容器の前記上面の前記リップ部との間の閉鎖関係と組み合わせて、前記蓋と前記容器の間で、実質的に防湿性のきついシールを提供し、
前記蓋の前記スカート部は、内側に向いている延長部を有し、前記容器の前記上面の前記リップ部は、外側に向いている延長部を有し、
前記蓋の前記スカート部の前記内側に向いている延長部と、前記容器の前記上面の前記リップ部の前記外側に向いている延長部は、前記蓋が前記閉鎖位置にある時に、互いに当接してスナップ嵌合の構成で固定する、実質的に防湿性の容器と蓋の組立体。